(57)【要約】【課題】従来技術のパソコンデスクのディスプレイを載せる為の上位板部は書類を置いたり、筆記を取るなどの作業机としては、その面領域が狭く奥まっていて使いにくい。読み書きの作業が出来るように、ディスプレイを載せる上位板部にその面領域を広くする手段を提供すること。【解決手段】上、下に相隣り且つ階層に構成した上位板部と下位板部を有するパソコンデスクに供し、上位板部に係合可能な接合部と透過視認可能な透明板部と位置調節可能な支え部を有し、上位板部に面領域付加の係合を可能とした事を特徴とするパソコンデスクの面積延長台を提供すること。【選択図】　図４
0003098300.tif 000002
【実用新案登録請求の範囲】
【請求項１】
上、下に相隣り且つ階層に構成した上位板部と下位板部を有するパソコンデスクに供し、上位板部に係合可能な接合部と透過視認可能な透明板部と位置調節可能な支え部を有し、上位板部に面領域付加の係合を可能とする事を特徴としたパソコンデスクの面積延長台。
【請求項２】
「請求項１」記載の面積延長台を有することを特徴とするパソコンデスク。
【考案の詳細な説明】
【０００１】
【考案の属する技術分野】
本考案は特にパソコンデスクに関しており、その面積延長台を技術分野とする。面積延長台とはキーボードを載せる為の板部の直上にあるディスプレイを載せる為の板部に付加して使用する板状の台である。
【０００２】
【従来の技術】
従来技術でのパソコンデスクの様子を図５に示す。図５はパソコンデスクとパソコンを操作する人を横から模式的に描画している。
従来技術のパソコンデスクは自身を構成する枠（１８）に下の部位からパソコン本体を載せる為の板部（２１）、キーボードを載せる為の板部（２２）、ディスプレイを載せる為の板部（２３）、プリンターを載せる為の板部（２４）がそれぞれ階層的に構成されている。
或いは図６のように個々の板部を選択併合してディスプレイを載せる為の板部に相当する上位板部（１１）とキーボードを載せる為の板部に相当する下位板部（１２）の２枚に集約構成している座卓型のパソコンデスク（２５）もある。
本考案に関係する主な構成要素はこの上位板部と下位板部であり、名称を以下の様に定義する。即ち、ディスプレイを載せる為の板部を上位板部（１１）、キーボードを載せる為の板部を下位板部（１２）と名称をつける。
このような従来技術のパソコンデスクにおいてディスプレイ用の上位板部上の原稿を散見しながらパソコンを操作する時原稿が載りにくく、落ちたり、傾いたり不安定になり、手直しに時間が掛かり、載せる事が出来なくなり精神的に苛苛する場合がある。
或いは上位板部上で簡単なメモを取る際、操作する人（１７）は前に身をのりだし無理な姿勢になり、物理的、精神的、健康的に悪い影響をうける。
このような不都合は、上位板部の机として利用できる面領域が不足している事が起因している。ここで面領域とはディスプレイ（１６）と上位板部の前端２（１４）間距離の作る面をいう。面領域が不足している理由は以下の構成状況による。
キーボード用の下位板部は垂直方向で上位板部から１０センチ乃至１５センチ下に階層構成している。また水平方向では下位板部の前端１（１３）は上位板部の前端２（１４）から２０センチ手前にある。一方下位板部の前端１から上位板部上のディスプレイ迄の距離は水平方向で操作する人の視認能力上４０センチ乃至５０センチである。
従って上位板部の前端２からディスプレイ迄の距離は上記数値の計算で２０センチ乃至３０センチの狭い面領域となる。更にこの狭い上位板部の面領域は操作する人からみて下位板部上の空間（１９）を超えた不安定な遠い処にあり、書類を載せにくく読み書きを行いにくく事務作業の為には不適切な広さ或いは大きさの面領域となっている。尚上記説明の距離値は相対比較説明の為の参考値であり、絶対値ではない。
以上から従来技術のパソコンデスクはパソコン操作には適しているがパソコン操作と読み書きを含めた事務作業を行うという点では使いにくい机である。
【０００３】
【考案が解決しようとする課題】
従来技術によるパソコンデスクの問題と本考案の解決すべき課題は以下の通り。まず問題の１つ目は、前述の様に机として利用できる上位板部の面領域は２０センチ乃至３０センチと狭い為、散見する原稿や書類を載せ難く、載らない場合もある。
その為、場所を変えて下位板部に仮置きした場合は原稿や書類が邪魔になってキーボードの打鍵が出来ず作業性が悪い。
問題の２つ目は上位板部に載せた書類の文字は水平方向で下位板部又は空間（１９）を超えて遠くにあり見え難い。その為操作する人は前に身を乗り出し、姿勢を悪くして見る事になる。従って健康へ悪影響を与え、能率も悪い。
問題の３つ目は筆記を取ろうとしても上記と同様、上位板部が空間（１９）を介して遠くにある為、不自然な姿勢で筆記をとる事になり書き難い。従って健康へ悪影響を与え、能率も低下する。
問題の４つ目は、予期せず不用意にキーボード上に書類を置くと、その重力が打鍵しパソコンが誤動作してしまう。又上方からの埃類がキーボードに降りかかる物品が落下衝突するなどの物理的悪影響がでる。
以上のように問題の殆どは上位板部の面領域が狭い事から机としての機能を発揮できない。従って本考案の課題は上記のような従来技術の問題を解決するため上位板部の面領域を、操作する人側に広げる手段を提供することである。この課題を解決できれば今迄パソコン操作のみであったパソコンデスクが、読み書きを含めた事務作業が行え、マン・マシンインタフェースの良好なパソコンデスクを提供できることになる。
【０００４】
【課題を解決するための手段】
課題は上述のように上位板部（１１）の面領域を操作する人側に増やす手段を提供する事である。増やす為にはパソコンデスクの上位板部（１１）に何らかの追加部材を取付ける必要がある。
追加部材とは図４のように上位板部（１１）に取付ける手段として兆番（４）やフックやネジのような係合する接合部（８）材と、下位板部（１２）上のキーボード（１５）を視認する為の透明プラスチックの材質による透過視認可能な透明板部（３）材と、接合部（８）や透明板部（３）材の重量を下位板部（１２）に受け上位板部（１１）と下位板部（１２）の間隔に合せる為長さ調節機能をもつ支え部１（１０）材の構成体である。
よって課題を解決する為の手段は上位板部（１１）に面領域を追加する上記構成の面積延長台（１）を提供することである。
【０００５】
【考案の実施の形態】
本考案の実施の形態２件を記述する。
最初に実施の形態１を説明する。
図１、図２、図３は面積延長台（１）の三面図で夫々平面図、正面図、右側面図である。
以下面積延長台（１）を説明する。
構成の主体は透明性のプラスチックやガラスのような材質の矩形形状の透明板（２）である。この透明板（２）を機能的に透明板部（３）と名称する。透明板（２）の長辺側の一方の板厚面を兆番（４）の取付け面（９）とし、該取付け面（９）に接合部材の兆番（４）を２個取付けている。
兆番（４）の構成は一つの軸を共有して夫々独立した２個の板が嵌り、一方の板は取付け面（９）にネジ止めし、もう一方の板にはパソコンデスク（２０）の上位板部（１１）へ取付ける為のネジ止用の穴があいている。この取付け面（９）、兆番（４）を機能的に接合部（８）と名称する。更に透明板（２）の長手方向両端の面にネジを切ったネジ足（５）を通し、ナット（６）で固定し、ネジ足（５）の先にパイプ足（７）の雌ネジをねじ込んでいる。このネジ足（５）、ナット（６）、パイプ足（７）を機能的に支え部１（１０）と名称をつける。
次に面積延長台（１）の主たる構成の透明板部（３）、接合部（８）、支え部１（１０）の機能を説明する。
透明板部（３）の働きはひとつ目は書類を載置する為、板面形状の支持体であること。ふたつ目は下位板部（１２）上のキーボードや操作する手を見る為、透明又は透過する性質である。
接合部（８）働きは、ひとつ目は面積延長台（１）を上位板部（１１）に繋がった台とする為、面積延長台（１）をパソコンデスク（２０）の上位板部（１１）に固定することである。ふたつ目は面積延長台（１）を保守管理等で動かす為、面積延長台（１）を接合部（８）の兆番（４）を中心に回転することである。支え部１（１０）の働きは、ひとつ目は面積延長台（１）の重量や書類や操作する人（１７）の荷重を下位板部（１２）に当接させ、支える事である。ふたつ目は面積延長台（１）の高さ位置を設定する為、位置調節できることである。
次に本考案による面積延長台（１）を従来のパソコンデスク（２０）に取付けた状態を説明する。図４は面積延長台（１）を実線で、従来のパソコンデスク（２０）は２点鎖線で描画表示している。
面積延長台（１）は接合部（８）でパソコンデスク（２０）の上位板部（１１）に面積延長台（１）上面と上位板部（１１）の上面を同一面にして固定し、支え部１（１０）でパソコンデスク（２０）の下位板部（１２）に当接し荷重を受けている。支え部１（１０）の長さ調節によってパソコンデスク（２０）の上位板部（１１）と下位板部（１２）の間隔に合せた面積延長台（１）の面の高さを得ている。回転可能な接合部（８）で面積延長台（１）を矢印Ａの方向に回転させることによって、パソコンデスク（２０）、面積延長台（１）等の保守管理が可能となる。
次に本考案の実施の形態２を説明する。図７の斜視図及び図７のＰＰでの断面図、図８にて説明する。実施の形態２は実施の形態１と比較して支え部の構成のみが違う。実施の形態１では面積延長台（１）の荷重を下位板部（１２）上に受けていたが、実施の形態２では上位板部（１１）の下の裏面（２９）に受ける。接合部（８）、透明板部（３）の構成、機能は実施の形態１に全て同じである。
支え部２（３１）の構成は透明板（２）の長手方向両端側の、下の面（３０）にストッパー（２６）をストッパー止めネジ（２７）で固定している。ストッパー（２６）の長さは上位板部（１１）の方迄伸びて、その裏面（２９）に当接している。
上位板部（１１）下にあるストッパー（２６）には雌ネジをきり、止め位置調整ネジ（２８）を嵌め込んでいる。この支え部２（３１）の働きは、透明板部（３）に固定したストッパー（２６）に受けた透明板（２）の荷重が兆番（４）周りのモーメントとして作用し、上位板部（１１）の下の裏面（２９）側に在するストッパー（２６）を経て荷重として作用し、上位板部（１１）が受担している。止め位置調整ネジ（２８）を回転させる事によって、透明板部（３）が水平になるよう位置を調整できる。
ストッパー（２６）、ストッパー止めネジ（２７）、止め位置調整ネジ（２８）は機能的に荷重を受ける支え部２（３１）である。面積延長台（１）の主たる目的、構成、機能は実施の形態１と同じで荷重の受場所が異なる。透明板部（３）は矢印Ｂの方向に回転可能で実施の形態１に同じ動作である。
実施の形態２の長点は実施の形態１であった下位板部の支柱型の支え部１（１０）が存在しないので、キーボードを操作する手を横に移動しても、衝突しない。
従って、手の移動範囲が横に広く出来る。但し、支え部２（３１）の許容荷重は構造上実施の形態１より小さい短点がある。因みに実施の形態１の長短点は実施の形態２と逆である。
【０００６】
【他の実施形態】
１つ目は図１の実施の形態１では上位板部への取り付け手段は兆番（４）であるが、他の実施形態では兆番の代わりにネジで固定することやフックで引掛止めにしても良い。この場合、面積延長台の回転動作は失われることもあるが堅固な係合や着脱動作が簡便な係合を得る事が出来る。
２つ目は透明板の材料が不透明な材料であっても面積延長台の構成は可能である。不透明な材料に多数の穴をあける或いは不透明な材料による網形状であっても透過視認性、及び埃の落下防止性は若干低減するが上位板部の領域を広くでき、考案による効果がある。
【０００７】
【考案の効果】
実施の形態のように、本考案の面積延長台をパソコンデスクの上位板部に取り付ける事によって以下のような効果を生む。
効果の第１はパソコンデスクの上位板部の上面面積を面積延長台の追加によってその面積分広くできる。従って書類を置く領域を確保でき、通常の机のように書類を安定して置く事が可能になった。
効果の第２は面積延長台が透明な板形状である為、面積延長台の上方から落下するものがあっても、面積延長台が遮蔽してその下にあるキーボードを保護することが出来る。即ちごみかぶりや破損防止が実現できる。
効果の第３は面積延長台に支え部がある事によって上方から重力がかかっても兆番と協同し面積延長台の位置を保ち、面積延長台への荷重に耐えることが出来る。
効果の第４は面積延長台を矢印Ａ、矢印Ｂの方向に回転する事により従来技術形態のようにキーボード上の空間領域を得ることができ、パソコンデスクの保守管理が可能な構成であり、操作する人は本考案の効果や従来技術効果を自由に選択できる。
効果の第５は面積延長台が透明性材質の為、面積延長台を透視してキーボードのキーや操作する人の手等が見え、視認によるキー操作が従来通り出来る。
効果の第６は下位板部と面積延長台の階層隙間には操作する人の手が入れられる間隔がある為、手によるキーボード操作は従来通り支障ない。
以上のように本考案は従来のパソコンデスクをパソコン操作だけの機能に加えて読み書きも出来る事務机機能の提供を可能にする効果を得る。
【図面の簡単な説明】
【図１】本考案実施の形態１の平面図。
【図２】本考案実施の形態１の正面図。
【図３】本考案実施の形態１の側面図。
【図４】本考案実施の形態１を実施したパソコンデスクの斜視図。
【図５】従来技術のパソコンデスク模式図。
【図６】従来技術の座卓型パソコンデスク斜視図。
【図７】本考案実施の形態２を実施したパソコンデスクの斜視図。
【図８】本考案実施の形態２の
【図７】ＰＰ断面図。
【符号の説明】
１　面積延長台　　　　　　　　　　　　　２　透明板
３　透明板部　　　　　　　　　　　　　　４　兆番
５　ネジ足　　　　　　　　　　　　　　　６　ナット
７　パイプ足　　　　　　　　　　　　　　８　接合部
９　取付面　　　　　　　　　　　　　　１０　支え部１
１１　上位板部　　　　　　　　　　　　　１２　下位板部
１３　前端１　　　　　　　　　　　　　　１４　前端２
１５　キーボード　　　　　　　　　　　　１６　ディスプレイ
１７　操作する人　　　　　　　　　　　　１８　枠
１９　空間　　　　　　　　　　　　　　　２０　パソコンデスク
２１　パソコン本体を載せる為の板部　　　２２　キーボードを載せる為の板部
２３　ディスプレイを載せる為の板部　　　２４　プリンターを載せる為の板部
２５　座卓型のパソコンデスク　　　　　　２６　ストッパー
２７　ストッパー止めネジ　　　　　　　　２８　止め位置調整ネジ
２９　裏面　　　　　　　　　　　　　　　３０　下の面
３１　支え部２
【図１】
0003098300.tif 000003
【図２】
0003098300.tif 000004
【図３】
0003098300.tif 000005
【図４】
0003098300.tif 000006
【図５】
0003098300.tif 000007
【図６】
0003098300.tif 000008
【図７】
0003098300.tif 000009
【図８】
0003098300.tif 000010